(57)【要約】   魚測定装置であって、魚を測定するための測定マークを含む可撓性マットと、可撓性マットを格納する、可撓性マットに結合されているハウジングと、を含む魚測定装置、を提供する。ハウジングは可撓性マットを損傷から保護し、これは有利である。結果として可撓性マットは、魚の正確な測定を提供することができる。【選択図】  図２
2018507710.tif 000002
【特許請求の範囲】
【請求項１】
魚測定装置であって、
魚を測定するための測定マークを含む可撓性マットと、
前記可撓性マットを格納する、前記可撓性マットに結合されているハウジングと、
を含む、魚測定装置。
【請求項２】
前記ハウジングがローラーを含み、前記ローラーの周囲に前記可撓性マットを巻き付けることができる、請求項１に記載の魚測定装置。
【請求項３】
前記ローラーが円柱状である、請求項２に記載の魚測定装置。
【請求項４】
前記ローラーが、前記可撓性マットの端部を保持するための保持部材、を含む、請求項２に記載の魚測定装置。
【請求項５】
前記保持部材が、前記可撓性マットの端部を固定するように構成されている、請求項４に記載の魚測定装置。
【請求項６】
前記マットを前記ハウジング内に収容するための、前記ローラーに結合されている巻取り器、をさらに含む、請求項２に記載の魚測定装置。
【請求項７】
前記巻取り器が把持要素を含む、請求項６に記載の魚測定装置。
【請求項８】
前記巻取り器が伸縮アームを含む、請求項６に記載の魚測定装置。
【請求項９】
魚のノーズを密着させるためのノーズプレート、をさらに含む、請求項１に記載の魚測定装置。
【請求項１０】
前記ノーズプレートが剛性である、請求項９に記載の魚測定装置。
【請求項１１】
前記可撓性マットの第１の端部が前記ハウジングに結合されており、前記可撓性マットの第２の端部が前記ノーズプレートに結合されている、請求項９に記載の魚測定装置。
【請求項１２】
前記ノーズプレートが、前記マットと同じ平面内の下側部分と、前記下側部分に実質的に垂直なフロント部と、を備えている、請求項９に記載の魚測定装置。
【請求項１３】
前記ハウジングが、収容状態にあるときに前記下側部分を受け入れるように構成されている、請求項１２に記載の魚測定装置。
【請求項１４】
前記ハウジングが、前記可撓性マット全体を受け入れるように構成されている、請求項１に記載の魚測定装置。
【請求項１５】
前記測定マークが、前記ノーズプレートから前記マットの長さに沿って値が大きくなる、請求項１に記載の魚測定装置。
【請求項１６】
前記可撓性マットが、細長い開口部を通じて前記ハウジングから外側に延びるように構成されている、請求項１に記載の魚測定装置。
【請求項１７】
前記魚測定装置が実質的に非金属である、請求項１に記載の魚測定装置。
【請求項１８】
前記魚測定装置が完全に非金属である、請求項１に記載の魚測定装置。
【請求項１９】
前記ハウジングが耐衝撃性プラスチックから形成されている、請求項１に記載の魚測定装置。
【請求項２０】
前記可撓性マットがＰＶＣから形成されている、請求項１に記載の魚測定装置。
【請求項２１】
前記ハウジングが、前記ハウジングを通じて液体を流すことを可能にする排水開口部、を含む、請求項１に記載の魚測定装置。
【請求項２２】
前記排水開口部が、前記ハウジングの両端部に形成されている、請求項２１に記載の魚測定装置。
【請求項２３】
前記測定マークが、機械が読み取り可能なコードを備えている、請求項１に記載の魚測定装置。
【請求項２４】
前記測定マークが、直線状コードを備えている、請求項２３に記載の魚測定装置。
【請求項２５】
前記測定マークが、複数のクイックレスポンスコードを備えている、請求項２３に記載の魚測定装置。
【発明の詳細な説明】
【技術分野】
【０００１】
本発明は、魚を測定する装置に関する。詳細には、本発明は、これに限定されないが、キャッチアンドリリースを行う釣りにおいて水から上がった状態の生きた魚の長さを測定する装置に関する。
【背景技術】
【０００２】
フィッシング競技会は、釣り人の間で人気がある。このようなフィッシング競技会は、一連のルールに基づいて最も大きい魚を捕まえることを競う。ルールは、一般には、競技時間、特定の魚の種類、エリア、および釣り方法を規定する。
【０００３】
従来、釣り人は、釣った魚を殺し、それを大会本部まで持っていき計量または測定していた。しかしながら、持続可能性を確保するとともに、乱獲を避けるため、キャッチアンドリリースを行うフィッシング競技会の人気が出ている。
【０００４】
キャッチアンドリリースを行うフィッシング競技会では、各釣り人は、一般に、釣った魚をリリースする前に、各魚を測定装置に関連付けた状態で写真を撮る。次いでこの写真を競技会のウェブサイトにアップロードして評価を受ける。この目的のために、測定マット（measuring mat）（「ブラッグマット（brag mat）」としても知られている）がしばしば使用される。このようなマットは持ち運び可能であり、魚に対して優しいためである。
【０００５】
従来技術の測定マットの問題点は、損傷を受けやすいことである。特に、ボートの上で広げるとき、マットの一部が折れたり、へこみができることがあり、これによってマットは、その後に魚を測定するための平らな表面を提供することができない。平らに広がらない測定マットでは、一般に正確な測定を行うことができない。
【０００６】
図１は、従来技術による測定マット１００を示している。図１に示す測定マット１００は、折れやへこみがある。このため、測定マット１００は、マットを載せる面の上で平らに広がらない。このことは、基準線１０５および巻き尺１１０と比較して明らかに示してある。
【０００７】
基準線１０５はまっすぐな基準を示しており、これにより、マットを平らな面に置いたときにマットによって形成される凹凸が強調されている。巻き尺１１０は、このように使用されるときのマット１００の不正確さと、これらの不正確さがマット１００の長さに沿ってどのように大きくなるかを示している。例えば約３０ｃｍの魚を測定するとき、マットは約１ｃｍ不正確である。
【０００８】
したがって、従来技術の測定マットでは、魚の長さに関して混乱と不確実性が生じることがあり、魚の最小サイズが規定されている場合には、実際には不適格なサイズの魚が間違って適格なサイズであるとみなされることがある。
【０００９】
従来技術の測定マットは、さまざまなサイズの魚を同じマットを使用して測定できるように構成されるため、マットがかさばる（例えば長さ１ｍ）といった問題をさらに有している。この結果として、長くかさばるマットは、小さい魚には非実用的である。さらには、従来技術の測定マットは、スペースを節約する目的で一般には折り畳まれたり巻かれたりしているため、マットがさらに傷む。
【００１０】
結果として、改良された魚測定装置が求められている。
【００１１】
なお、本明細書に従来技術の文献が引用されている場合、その引用は、その文献がオーストラリアまたは任意の別の国におけるこの技術分野の一般的な共通知識の一部を形成していることを認めるものではないことを明らかに理解されたい。
【発明の概要】
【発明が解決しようとする課題】
【００１２】
本発明は、上述した欠点の少なくとも１つを少なくとも部分的に克服する、または有用な選択肢あるいは商的な選択肢を消費者に提供する魚測定装置、を対象としている。
【課題を解決するための手段】
【００１３】
上記に鑑み、本発明は、一形態において、広義には、魚測定装置であって、
魚を測定するための測定マークを含む可撓性マットと、
可撓性マットを格納する、可撓性マットに結合されているハウジングと、
を含む、魚測定装置、に属する。
【００１４】
ハウジングは、可撓性マットを損傷から保護することに効果的である。結果として、可撓性マットは、魚の正確な測定を提供することができる。さらには、特定の実施形態によると、本魚測定装置は、マットの一部を引き出して使用することができるため、よりコンパクトな装置を提供する。
【００１５】
ハウジングはローラーを含む。このローラーは、その周囲に可撓性マットを巻き付けることができる。ローラーは、円柱状とすることができる。
【００１６】
ローラーは、可撓性マットの端部を保持するための保持部材を含むことができる。この保持部材は、可撓性マットの端部を固定するように構成することができる。
【００１７】
本魚測定装置は、マットをハウジング内に収容するための、ローラーに結合されている巻取り器、を含むことができる。巻取り器は、把持要素を含むことができる。巻取り器は、伸縮アームを含むことができる。そのような場合、巻取り器は、フィッシングリールと似たように機能することができる。
【００１８】
本魚測定装置は、ノーズプレートを含むことができ、ノーズプレートに魚の「ノーズ」を密着させる。ノーズプレートは、剛性とすることができる。可撓性マットの第１の端部をハウジングに結合し、可撓性マットの第２の端部をノーズプレートに結合することができる。
【００１９】
ノーズプレートは、マットと同じ平面内の下側部分と、下側部分に実質的に垂直なフロント部とを備えていることができる。ハウジングは、収容状態にあるときに下側部分を受け入れるように構成することができる。
【００２０】
ハウジングは、可撓性マット全体を受け入れることができるように構成することができる。
【００２１】
測定マークは、ノーズプレートからマットの長さに沿って値を大きくすることができる。
【００２２】
可撓性マットは、細長い開口部を通じてハウジングから外側に延びるように構成することができる。
【００２３】
本魚測定装置は、実質的に非金属とすることができる。本魚測定装置は、完全に非金属とすることができる。ハウジングは、耐衝撃性プラスチックから形成することができる。可撓性マットは、ＰＶＣから形成することができる。
【００２４】
魚測定装置は、ハウジングを通じて液体を流すことを可能にする排水開口部、を含むことができる。排水開口部は、ハウジングの両端部に形成することができる。
【００２５】
測定マークは、機械が読み取り可能なコードを備えていることができる。これによって、スマートフォンなどのデバイスが、場合によってはサーバと協働して、魚の長さを自動的に求めることが可能になる。
【００２６】
測定マークは、直線状コード（linear code）を備えていることができる。測定マークは、複数のＱＲ（クイックレスポンス）コード（登録商標）を備えていることができる。
【００２７】
本明細書に記載されているいずれの特徴も、本発明の範囲内で、本明細書に記載されている任意の１つまたは複数の別の特徴との任意の組合せにおいて、組み合わせることができる。
【００２８】
本明細書における従来技術の言及は、その従来技術が一般的な共通知識の一部を形成することを認識する、または何らかの形で示唆するものではなく、またそのように理解しないものとする。
【００２９】
本発明のさまざまな実施形態について、以下の図面を参照しながら説明する。
【図面の簡単な説明】
【００３０】
【図１】従来技術による測定マットを示している。
【図２】本発明の実施形態による収容式魚測定装置の上側斜視図を示している。
【図３】図２の収容式魚測定装置の端面図を示している。
【図４】図２の収容式魚測定装置の断面図を示している。
【図５】図２の収容式魚測定装置の上面図を示している。
【図６】本発明の実施形態による収容式魚測定装置の端面図を示している。
【図７】本発明の代替実施形態による収容式魚測定装置７００の上面図を示している。
【図８】本発明の実施形態による魚釣りモニターシステム８００を示している。
【発明を実施するための形態】
【００３１】
本発明の好ましい特徴、実施形態、および変形形態は、本発明を実行するための十分な情報を当業者に提供する以下の詳細な説明から理解することができる。以下の詳細な説明は、上記の発明の概要の範囲をいかようにも制限するようにはみなされないものとする。
【００３２】
図２は、本発明の実施形態による収容式魚測定装置２００の上側斜視図を示している。魚測定装置２００は、フィッシング競技会において例えばボートの上で魚を測定するのに特に適しており、損傷に強い。
【００３３】
魚測定装置２００は、可撓性マット２０５と、使用していないときに可撓性マット２０５を格納するためのハウジング２１０とを含む。特に、可撓性マット２０５は、以下に説明するように、魚を測定するためにハウジング２１０から引き出すことができる。ハウジング２１０は、魚の測定が終わった後、可撓性マット２０５を収容して格納することができる。可撓性マット２０５は、細長い開口部２１０ａを通じてハウジング２１０から外側に延びる。
【００３４】
魚測定装置２００は、可撓性マット２０５の遠位端部における剛性のノーズプレート２１５を含み、このノーズプレート２１５に魚の「ノーズ」を密着させる。さらには、マット２０５は、魚の長さを測定するための、マット２０５の長さに沿った測定マーク２２０を含む。図５は、測定のために魚５００を置いた状態の魚測定装置２００の上面図を示している。
【００３５】
さらに、魚測定装置２００は、マット２０５を魚測定装置２００から引き出すためと魚測定装置２００に収容するための巻取り器２２５を含む。図３に最も分かりやすく示したように、巻取り器２２５は、使用者がたとえ濡れた手でも巻取り器２２５を握って巻き取ることを可能にする複数の突起部２２５ａを含む。
【００３６】
ハウジング２１０は、図４に示したように、巻取り器２２５に結合されておりかつ周囲に可撓性マット２０５が巻き付く円柱状ローラー２３０、を含む。ローラー２３０は、可撓性マット２０５の端部を保持して可撓性マット２０５がハウジング２１０から離れるのを阻止する保持部２３０ａ、を含む。特に、保持部２３０ａは、可撓性マット２０５の端部を固定する固定部材を備えている。
【００３７】
使用しないとき、マット２０５はローラー２３０の周囲に巻かれており、したがってハウジング２１０によって保護されている。マット２０５がローラー２３０に巻かれると、ノーズプレート２１５の下側部分２１５ａが細長い開口部２１０ａを通じてハウジング２１０に入り、ハウジング２１０の床部２１０ｂに乗る。この状態において、ノーズプレート２１５の上側部分２１５ｂがハウジングの前部２１０ｃに寄りかかる（当接する）。これにより、魚測定装置２００がコンパクトかつ堅牢になる。
【００３８】
必要なとき、ハウジング２１０からマット２０５が所望の長さだけ（一般には測定する魚よりも少し長く）延びるように、マット２０５をローラー２３０から引き出す。次に、魚のノーズがノーズプレート２１５に当たるように、引き出したマット２０５の上に魚を置く。魚を測定した後、巻取り器２２５を使用してマット２０５をローラー２３０に巻き付ける。
【００３９】
ハウジング２１０、ローラー２３０、ノーズプレート２１５、およびハンドル２２５は、耐衝撃性プラスチックから形成されていることが有利である。したがって本魚測定装置は、たとえ落下したり投げられたりしても、損傷に強い。
【００４０】
マット２０５は、ポリ塩化ビニル（ＰＶＣ）の薄層を備えていることができ、この薄層の上にマーク２２０が印刷されている。
【００４１】
魚測定装置２００は、その全体が非金属部品から形成されていることが有利である。これにより魚測定装置２００は、たとえ定期的に海水にさらされても耐腐食性である。
【００４２】
図６は、本発明の代替実施形態による収容式魚測定装置６００の側面図を示している。
【００４３】
収容式魚測定装置６００は、図２の収容式魚測定装置２００に似ているが、排水開口部６１０が形成されているハウジング６０５を含む。
【００４４】
排水開口部６１０は、魚測定装置６００の端部に形成されており、マットの洗浄およびマットを濡らす目的でハウジング６０５を通じて水が流れることを可能にする。例えば、魚を測定する前に収容式魚測定装置６００を海水に浸して、測定するときに魚を保護するための潤滑を提供することができる。同様に、魚を測定した後、マット２０５を洗浄するために魚測定装置６００をバケツの水に浸すことができる。
【００４５】
代替実施形態（図示していない）によると、収容式魚測定装置２００，６００は、ひも（lanyard）を受け入れる突出部または開口部を含む。したがって使用者は、装置２００，６００の落下および消失の危険性なしに、魚測定装置２００，６００を水中に投げ入れて水洗いすることができる。
【００４６】
さらなる代替実施形態（図示していない）によると、巻取り器２２５は、マットの巻取りを支援する伸縮アームを含む。特に、伸縮アームは、巻取り器２２５から外側に延び、フィッシングリールと同じようにマットを巻き取ることを可能にする。
【００４７】
図７は、本発明の代替実施形態による収容式魚測定装置７００の上面図を示している。魚測定装置７００は魚測定装置６００に似ているが、以下に説明するように機械が読み取り可能な測定マークおよびＱＲコードを含む。
【００４８】
魚測定装置７００は、マットの下側隅に、ＱＲコード７０５の形式の一意のマット識別子を含む。ＱＲコード７０５は、コンピューティングデバイス（スマートフォンなど）によって読み取るのに特に適しており、これにより使用者は、自身のスマートフォンでコードをスキャンすることによってイベントに効率的に登録することが可能になる。
【００４９】
ＱＲコード７０５は、ＵＲＬ（ユニフォームリソースロケータ）を含み、このＵＲＬは、ウェブサイトにリンクするベースＵＲＬ部分と、マットを一意に識別する識別子部分とを含むことが有利である。適切なＵＲＬの例は「ｗｗｗ．ｓｏｆｔｇａｆｆ．ｃｏｍ／ｕ１２３２３２」であり、この場合に「ｗｗｗ．ｓｏｆｔｇａｆｆ．ｃｏｍ／」がベースＵＲＬ部分であり、ｕ１２３２３２が、マットを一意に識別する識別子部分である。
【００５０】
初めてＵＲＬを入力すると、装置７００の所有者には、個人情報（名前、住所など）を入力するようにサーバによって指示される。次いでこれらの個人情報が、識別子に関連付けられてサーバに保存される。
【００５１】
その後にＵＲＬを入力すると、所有者の個人情報が表示され、開催予定のイベントのリストが提供される。イベントの例としては、対象となる特定の種類の魚の大きさや、特定の時間内に釣った魚の数を競うイベントが挙げられる。使用者は、イベントの１つに登録することができる。
【００５２】
本魚測定装置は、測定マーク２２０の代わりに直線状コード７１０をさらに含む。直線状コード７１０は、コンピューティングデバイスがコード７１０を読み取ることによって魚の長さを正確に求めることを可能にする。具体的には、上述した方法と同様にコード７１０の上に魚を置き、したがって魚がその体の長さに沿ってコードを覆う。見えている残りのコードを使用して、魚の長さを正確に求めることができる。
【００５３】
特定の実施形態によると、隠れていない最も右側のコードを復号し、次いで上記隠れていない最も右側のコードの右側の１つまたは複数のサブコードを復号することによって、魚の長さが求められる。したがって、それ以上コードまたはサブコードを読み取れなくなるまで、魚の長さの精度を高めることができる。
【００５４】
特定の実施形態によると、直線状コード７１０は２次元である。特に、直線状コード７１０は、ＱＲに似た一連の複数のコードを備えていることができる。読み取ることのできる最小のＱＲコードを使用して、魚の測定を行うことができる。
【００５５】
釣り人からの入力ではなく直線状コードを使用することにより、使用者の影響が少ないため、魚の測定においてより高い精度が提供される。このことは、以下に概説するようにフィッシング競技会に特に適している。しかしながら当業者には、測定マーク２２０（競技会以外でも、例えば最小サイズの測定にマットを使用できるようにする）と直線状コード７１０の両方をマットが含みうることがただちに理解されるであろう。このような場合、測定マーク２２０は、例えば、直線状コード７１０の上および／または下に位置する、または直線状コードの一部を形成することができる。
【００５６】
図８は、本発明の実施形態による魚釣りモニターシステム８００を示している。システム８００は、以下に概説するように、競技会において釣り人が競争することを可能にする。
【００５７】
複数の釣り人８０５ａ，８０５ｂそれぞれが、各自の魚測定装置７００のコードをスマートフォン８１０を使用してスキャンすることによって、フィッシング競技会に登録する。特に、魚測定装置７００のコードは、サーバ８１５にリンクするＵＲＬに対応しており、サーバ８１５は、参加者および魚のデータをモニターする。上述したようにコードは、マットに一意である識別子を含み、釣り人８０５ａ，８０５ｂの情報の記録を維持するために使用される。
【００５８】
釣り人８０５ａ，８０５ｂは、魚を釣ったとき、その魚を魚測定装置７００の上に置き、装置上の魚の写真を撮り、写真をサーバ８１５にアップロードする。サーバ８１５は、上述したように直線状コード７１０を使用して魚の長さを自動的に求め、その魚を釣り人８０５ａ，８０５ｂに関連付ける。
【００５９】
サーバ８１５は、最も大きい魚に関するスコアボード８２０を維持する。スコアボード８２０は、釣り人の年齢（例：子供と大人とで個別のボード）、魚の種類、および／または場所に基づいて、サブボードを含むことができる。
【００６０】
特定の実施形態によると、サーバ８１５は、魚のノーズがノーズプレートにぴったり付いているかも確認する。付いていない場合、またはそれ以外の点で写真が不適切である場合、サーバ８１５は釣り人８０５ａ，８０５ｂに新しい写真をアップロードするように要求することができる。
【００６１】
本発明の実施形態は、堅牢でありかつ損傷に強い魚測定装置を提供する。特に、ハウジングは、収容されている間に例えば衝撃による損傷やマットが折れることによる損傷に対するマットの保護を提供する。コードは、魚の長さを測定するための公平な手段を提供することができ、これにより本魚測定装置は競技会に特に適している。
【００６２】
さらには、本発明の実施形態は、混雑している状況、または、スペースが限られている（ボートの上など）状況において使用するのが容易である。なぜなら使用者は、マット全体を広げる必要なしに、魚を測定するために必要となる適切な長さだけマットを引き出せばよいからである。
【００６３】
本発明の実施形態による装置は、日光を遮断することができ、また、使用前に濡らすことができ、結果として、水に返す魚の生存率を高めることができる。
【００６４】
本発明の実施形態は、洗浄するのが容易であり、バケツの水に浸すことができる。
【００６５】
代替実施形態（図示していない）によると、本魚測定装置は、自動巻取りアセンブリを含む。自動巻取りアセンブリは、プラスチック製のクロックスプリングなどを備えていることができ、たとえ異物がハウジングに入ったときにも損傷に強く耐腐食性であるように構成されていることが有利である。
【００６６】
測定マークは、特定の種類の魚の最小サイズを含むことができる。これにより釣り人は、さまざまな種類の魚の最小サイズを記憶する必要なしに、魚が適格な長さであるかを素早く判断することが可能である。
【００６７】
本明細書および請求項（存在時）において、語「備えている」およびその活用形には、記載されている整数それぞれが含まれるが、１つまたは複数のさらなる整数が含まれることを除外するものではない。
【００６８】
本明細書全体を通じて「一実施形態」または「実施形態」と記載されているとき、その実施形態に関連して説明されている特定の特徴、構造、または特性が、本発明の少なくとも１つの実施形態に含まれていることを意味する。したがって、この明細書全体を通じてさまざまな箇所に現れる表現「一実施形態において」または「実施形態において」は、必ずしもすべてが同じ実施形態を言及していない。さらには、特定の特徴、構造、または特性を、１つまたは複数の組合せにおいて任意の適切な方法で組み合わせることができる。
【００６９】
ここまで本発明について、法律に準拠し、程度の差はあるが構造上または方法上の特徴に特有な専門用語で説明してきた。本発明は、図示または説明した特定の特徴に制限されず、なぜなら本明細書に記載されている手段は、本発明を実施するときの好ましい形態を含むためであることを理解されたい。したがって本発明は、当業者によって適切に解釈される添付の請求項（存在時）の適切な範囲内での本発明の任意の形態または修正形態において、特許請求されるものである。
【図１】
2018507710.tif 000003
【図２】
2018507710.tif 000004
【図３】
2018507710.tif 000005
【図４】
2018507710.tif 000006
【図５】
2018507710.tif 000007
【図６】
2018507710.tif 000008
【図７】
2018507710.tif 000009
【図８】
2018507710.tif 000010
【国際調査報告】
2018507710.tif 000011
2018507710.tif 000012
2018507710.tif 000013